(57)【特許請求の範囲】
【請求項１】
導電性部材により構成される網目状の表面を有する電磁波シールドガスケットと，複数のきのこ状突起の接合部を有するガスケット保持部材とからなり，電磁波シールドガスケットをガスケット保持部材に押付けることにより、きのこ状突起の接合部が網目状の表面に引っ掛かることで結合し、引き剥がすことにより取り外し、電磁波シールドガスケットがガスケット保持部材から着脱自在になっていることを特徴とする電磁波シールドガスケット取付構造。
【請求項２】
請求項１ に記載の電磁波シールドガスケットの取付構造において，さらに，ガスケット保持部材とこのガスケット取付構造を設置する被装着体との間に両端を長手方向に沿ってガスケット保持部材側に折り曲げた形状の導電性の取付板部材を備えたことを特徴とする電磁波シールドガスケット取付構造。
【発明の詳細な説明】
【技術分野】
【０００１】
本発明は，電磁波シールドルームの扉枠と扉の間に出来る隙による電磁波の漏洩防止に用いる電磁波シールドガスケットに関する。
【背景技術】
【０００２】
ＭＲＩ（磁気共鳴イメージング）検査装置等はＭＲＩ検査装置からの電磁波の漏洩や，外部からの電磁波の影響を排除するため，電磁波シールドルーム内に設置されている。
【０００３】
〔ガスケットの必要性〕
電磁波シールドルームには，出入り等の為の扉が備えてあり，電磁波シールドルームの扉枠と扉の間に出来る隙間は，電磁波漏洩の要因となるため，シールド部材を使って漏洩を防止するようにしている。
【０００４】
〔シールド部材の種類〕
従来から使われているシールド部材としては、ベリリウム（beryllium）銅合金，銅，ステンレス鋼製等の金属板片の弾性を利用したシールドフィンガーや，芯材としてのネオプレンゴムやウレタンフォーム等の弾性材の表面に金属網を被せたシールドガスケットがある。また，図５に示すような，ベリリウム銅合金線製の中空タイプのシールドガスケットも提案されている。これはベリリウム銅合金の持つバネ性を利用したもので、復元性が高いシールドガスケットである（特許文献１）。
【０００５】
〔シールド部材の取付け〕
また，シールド部材のシールドルーム等への取付けは，シールドフィンガを用いたものでは，ネジ止めによるものや（特許文献２），シールドフィンガーをスライド挿入可能なフィンガーレールを用いて取付けるものがある（特許文献３）。また，両面粘着テープによる接着構造のもの（特許文献４）や，取付け部を有するガスケットについては，これをネジ止めすることにより取付けている。
【０００６】
【特許文献１】米国特許５，２９４，２７０（Heat-treated wire-mesh EMI/RFI shielding gasket）
【特許文献２】特開平０６−２７５９７８号公報（シールドガスケットの固定構造）
【特許文献３】特開平１０−２８４８６８号公報（フィンガーレール構造）
【特許文献４】特開平１１−００４０９４号公報（電磁波シールドガスケット及びその製造方法：第４頁、図４）
【発明の開示】
【発明が解決しようとする課題】
【０００７】
上記のように，従来，シールド部材であるガスケットを扉などに取付けるには，ネジで固定したり，両面粘着テープや接着剤による方法がとられていた。また，金属性の溝に取り付ける方法では，扉等に溝加工をする必要や，溝形成の部材を必要とし構造が複雑になるというように，シールドガスケットの取付けの際に手間がかかっていた。更に，シールド部材（シールドガスケット）が長期間使用することによって老朽化や破損が発生した場合等の交換の際にも取付け時と同様な手間がかかり，両面テープによる方法では，接着剤残渣を取り除いたりすることが必要であると共に残渣を完全に取り除くのは困難という問題があった。
【０００８】
本発明の目的は，接着剤やネジを使用しないで，シールドガスケットの取付け及び交換が容易なガスケット取付構造を提供することである。
【課題を解決するための手段】
【０００９】
上記課題を解決するために、本発明の内，請求項１に記載の発明は、導電性部材により構成される網目状の表面を有する電磁波シールドガスケットと，複数のきのこ状突起の接合部を有するガスケット保持部材とからなり，電磁波シールドガスケットをガスケット保持部材に押付けることにより、きのこ状突起の接合部が網目状の表面に引っ掛かることで結合し、引き剥がすことにより取り外し、電磁波シールドガスケットがガスケット保持部材から着脱自在になっていることを特徴とする。
【００１０】
請求項２に記載の発明は、請求項１ に記載の電磁波シールドガスケットの取付構造において，さらに，ガスケット保持部材とこのガスケット取付構造を設置する被装着体との間に両端を長手方向に沿ってガスケット保持部材側に折り曲げた形状の導電性の取付板部材を備えたことを特徴とする。
【発明の効果】
【００１１】
本発明の請求項１に記載の電磁波シールドガスケット取付構造によれば，電磁波シールド効果を損なうこと無くシールドガスケットの着脱・交換が容易となり，更に，取付部が美しく仕上がる。また，引戸に限らず，開き戸，窓，シャッター及びパネルの接合部等におけるシールドガスケットの簡易な取付構造として，広範囲に渡って適用可能である。取付板部材が，ガスケットと被装着体との電気的な導通を良好にし，電磁波シールド効果をより一層向上することができる。
【００１２】
請求項２に記載の発明では，請求項１に記載の発明と同様の効果の他，シールドガスケットの取付板部材は，扉や扉枠等の各構成品の製作時からその部品の一部として組み込むことができるので現場での調整が不要となり，しかもシールドガスケットの取付けが，設計図通りに正確かつ簡単に施工できることから，以下に列挙する効果が得られる。
【００１３】
工場製作工程では、取付板部材を溶接やネジ止めで正確に所定の位置に取付けることができる。しかもこの取付板部材の底部にガスケット保持部材を取付けることも容易で，取付けに正確性を期することができる。現場では，このガスケット保持部材にシールドガスケットを手で押さえつけるだけで取り付けられ，これを手で剥がすことによって交換をすることも出来る。その後の補修も至短時間でできる。現場施工業者には特別な技量を必要とせずに，美しい仕上りにすることができる。これによって，はめ込んだシ−ルドガスケットのラインが直線的で，高さが均一になるので，設計図に沿った施工に仕上げることができる。そのため電磁波シールド効果も最良のものが期待できる。
【発明を実施するための最良の形態】
【００１４】
以下に図面を用いて本発明の実施の形態を説明する。
図１に，本実施形態にかかる電磁波シールドガスケット取付構造の一例を示す。この図で，１０は，電磁波シールドルームの扉や扉枠に取付けられて電磁波シールドするための網目状の表面を有する電磁波シールドガスケットで，２０は，この電磁波シールドガスケットを取付けて保持するためのガスケット保持部材である。
【００１５】
〔ガスケット〕
本発明の電磁波シールドガスケット取付構造で使用する電磁波シールドガスケット１０を図５に示す。この電磁波シールドガスケット１０は，金属ワイヤを編んだ中空形状（tubular wire-mesh structure）の電磁波シールドガスケットである。本実施形態では図示のように力が加わらない自然状態で断面が円形のものであるが，必ずしも断面が円形である必要はなく，楕円や矩形状，その他多角形形状でも適用することができる。細い金属線を網目状に編込んで製作した構造で，弾力性・復元性に富んだ電磁波シールドガスケットである。材質は，ベリリウム銅合金，ステンレス鋼等のバネ性に富んだ材質が好適である。例えば，インストルメント スペシャルティーズ（Ｉｎｓｔｒｕｍｅｎｔ Ｓｐｅｃｉａｌｔｉｅｓ）社製のシールディング製品を用いることができる。
【００１６】
〔ガスケット保持部材〕
本発明の電磁波シールドガスケット取付構造で使用するガスケット保持部材２０を，図６に示す。構造は一例として，オレフィン系樹脂にきのこ状のステム（係合・係止部材）２０１が突出したファスナで，２５．４ｍｍ角あたり約１７０〜４００のステム２０１を有する。この製品は，通常，ファスナー同士を押しつけることで，きのこ状のステム２０１がかみ合い，必要に応じて繰り返しの着脱が可能なものである。本発明においては，このファスナーを電磁波シールドガスケットの保持部材として使用する。
【００１７】
材質は，導電製のものが電磁波シールド効果を高めるのに最適である。プラスチックなどの絶縁性のものを用いることもできる。この場合は，シールド効果を高めるために補助部材として後述する金属の取付板部材を用いるとよい。この保持部材は，裏面に感圧型粘着テープを有するもので，これにより保持部材を被装着部材（扉や扉枠等）に取付ける。具体的には剥離フィルムを剥し，上から加圧するだけで取付け可能である。なお，粘着テープ以外の，接着剤による接着，縫い付け，またはステープル等の取付方法採ることもできる。例えば，住友スリーエム社製のデュアルロック（ＴＭ）ファスナを用いることができる。
【００１８】
〔ガスケットの着脱〕
シールドガスケット１０を取付けるには，ガスケット１０をガスケット保持部材２０に押付けることにより，保持部材の表面に形成されたキノコ状突起２０１にガスケットのメッシュが係着される。また，取り外す際は，ガスケット１０を引き剥がすのみでベルベットファスナのように取り外すことができ，特別な工具を必要とせず，交換などが簡単に行える。
【００１９】
〔使用状態の例〕
本発明の電磁波シールドガスケット取付構造は，以下のような様々な形態で実施することができるので，図面とともに説明する。
【００２０】
〔使用状態（例１）横方向スライド圧着〕
図２は，本発明の電磁波シールドガスケット取付構造の使用状態を示す一例である。これは，スライドドアの電磁波シールドに用いるものである。
【００２１】
〔取付板部材（補助部材）〕
この例では，先に述べた電磁波シールドをより効果的に実施するための補助部材として取付板部材３０を使用している。この取付板部材３０は，ガスケット保持部材２０と本発明の取付構造が装着される扉（接触板）４００または扉枠（ガスケット支持板）４１０との間に配設される板状の金属部材で，ガスケット１０と同じ長さで配置される。図に示すように，両端を長手方向に沿って上方に折り曲げた形状であることが好ましく，これにより，シールドガスケット１０と扉枠等の被装着体４１０の間の電気的導通を確実に達成することができる。
【００２２】
本使用状態では，扉４００等を閉状態にする際に，変位に伴って、扉等の一部分又は付属（接触）板でシールドガスケットに摩擦力を与えて，これを回転させながら取付板部材の側面に圧着させる。また，扉４００等を開放状態にする際は，逆の側面により過度のシールドガスケット１０の引き擦りによる変形を抑えることができる。
【００２３】
〔使用状態（例２）縦方向平板圧着〕
図３は，本発明の使用状態を示す他の一例である。これは，扉４００等が対向する向きのシールドに用いるものである。電磁波シールドガスケット１０を，扉４００の平板面で圧縮して，これを取付板部材３０の壁面に広げて電磁波シールドを形成するものである。
【００２４】
〔使用状態（例３）縦方向突起板圧着〕
図４は，電磁波シールドガスケット１０に扉の突起部材４０１を差し込むことで，これを取付板部材３０の壁面に広げて電磁波シールドを形成するものである。
以上の様に，様々な態様で使用することができる。
【図面の簡単な説明】
【００２５】
【図１】本発明の一実施形態を示す図で，（Ａ）は側面図，（Ｂ）は正面図で，一部を切欠いた図である。
【図２】本発明の電磁波シールド取付構造の使用状態を示す図である。
【図３】本発明の電磁波シールド取付構造の使用状態の他の例を示す図である。
【図４】本発明の電磁波シールド取付構造の使用状態の他の例を示す図である。
【図５】本発明で用いる電磁波シールドガスケットを示す斜視図である。
【図６】本発明で用いるガスケット保持部材を示す斜視図である。
【符号の説明】
【００２６】
１０  電磁波シールドガスケット
２０  ガスケット保持部材
３０  取付板部材
４００  扉（接触板）
４１０  扉枠（ガスケット支持板）
【図１】
0004732205.tif 000002
【図２】
0004732205.tif 000003
【図３】
0004732205.tif 000004
【図４】
0004732205.tif 000005
【図５】
0004732205.tif 000006
【図６】
0004732205.tif 000007